【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
走行車体（１）上に、穀稈供給口（２）を前側にして脱穀装置（３）を搭載し、前記走行車体（１）に設けた支持台（１４）に、分草杆（１７）と穀稈引起し装置（４）と刈取装置（５）と穀稈搬送装置とを設けた刈取前処理装置（１３）を枢着して設け、前記穀稈搬送装置によって刈取穀稈を搬送してフィ−ドチェン（１２）に渡して脱穀装置（３）に供給するように構成し、防塵用のカバ−（８）の前部を穀稈引起し装置（４）の上方位置に設けると共に後方へ延長して設け、且つ、該防塵用のカバ−（８）に隆起部（４０）を形成し、該隆起部（４０）の前部に前照灯（４１）を設けて前方を照らせるように構成すると共に、該隆起部（４０）を防塵用のカバー（８）における前進方向の左側に寄せて設けて右側に隆起部（４０）の無い面（４５）を形成したことを特徴とするコンバイン。
【手続補正２】
【補正対象書類名】明細書
【補正対象項目名】全文
【補正方法】変更
【補正の内容】
【発明の詳細な説明】
【発明の名称】コンバイン
【技術分野】
【０００１】
本発明は、コンバインに関し、農業機械の技術分野に属するものである。
【背景技術】
【０００２】
従来からコンバインは、穀稈を前部の刈取装置から車体上の脱穀装置に搬送して供給する穀稈搬送装置が設けられ、更に、穀稈の搬送にともなって発生する藁屑や塵埃を外部に飛散させないために、穀稈の搬送通路を上側から防塵カバ−で覆って構成している。そして、この防塵カバ−は、作業中に穀稈が搬送装置に巻き付いたときや作業後のメンテナンスを容易に行うために、スライド操作によって開放できる構成にしている。（例えば、特許文献１参照。）
【特許文献１】実開昭５５−１５５４３９号公報（実用新案登録請求の範囲の項、第４図）
【発明の開示】
【発明が解決しようとする課題】
【０００３】
従来のコンバインは、上述のとおり穀稈搬送装置を上方から覆う防塵カバ−が設けられ、この防塵カバ−をメンテナンスを容易に行うために、開放して穀稈搬送装置や脱穀装置の穀稈供給口付近を簡単に露出できる構成としている。この場合、防塵カバ−は、通常、２分割して前部カバ−を前側の穀稈引起し装置に固定し、後部カバ−を前後にスライドして前部カバ−の上側に重ね合わせる位置まで摺動して後部を開放できる構成としている。
【０００４】
このように構成すると、コンバインは、穀稈搬送装置や脱穀装置の穀稈供給口部分が開放されて絡みついた穀稈の取り除き作業やメンテナンス作業には好都合であるが、前方視界を遮り安全性に欠ける課題があった。
【課題を解決するための手段】
【０００５】
本発明は、上述した課題を解決するために次の如き技術手段を講ずるものである。
【０００６】
すなわち、走行車体（１）上に、穀稈供給口（２）を前側にして脱穀装置（３）を搭載し、前記走行車体（１）に設けた支持台（１４）に、分草杆（１７）と穀稈引起し装置（４）と刈取装置（５）と穀稈搬送装置とを設けた刈取前処理装置（１３）を枢着して設け、前記穀稈搬送装置によって刈取穀稈を搬送してフィ−ドチェン（１２）に渡して脱穀装置（３）に供給するように構成し、防塵用のカバ−（８）の前部を穀稈引起し装置（４）の上方位置に設けると共に後方へ延長して設け、且つ、該防塵用のカバ−（８）に隆起部（４０）を形成し、該隆起部（４０）の前部に前照灯（４１）を設けて前方を照らせるように構成すると共に、該隆起部（４０）を防塵用のカバー（８）における前進方向の左側に寄せて設けて右側に隆起部（４０）の無い面（４５）を形成したことを特徴とするコンバインとした。
【発明の効果】
【０００７】
本発明によると、防塵用のカバ−８の隆起部４０の前部に設けた前照灯４１によって前方を照らすことができるものでありながら、この防塵用のカバー８の隆起部４０は進行方向の左側に寄せられ、その右側に隆起部４０が無い面４５が形成されているので、操縦席からの前方視界を確保しながら作業することができる。
【発明を実施するための最良の形態】
【０００８】
以下、図面に基づいて、本発明の実施例を具体的に説明する。
【０００９】
まず、その構成について述べる。
【００１０】
走行車体１は、ゴムを素材として成型したクロ−ラ１１を設け、乾田はもちろんのこと、湿田においても沈下しないで走行できる構成としている。そして、脱穀装置３は、フィ−ドチエン１２を有し、上側に扱胴を軸架した扱室を配置し下側に選別室を設け、前記扱室に連続する穀稈供給口２を前側にして走行車体１上に搭載している。
【００１１】
そして、刈取前処理装置１３は、走行車体１の前部に設けた支持台１４に回動自由に枢着して、前部下方へ延長した刈取主フレ−ム１５を主構成部材にした刈取機枠１６に、前部から分草杆１７と、穀稈引起し装置４と、刈取装置５と、穀稈搬送装置６とを設け、油圧装置からなる刈取昇降シリンダ−１８によって上下昇降自由に支架して構成している。
【００１２】
そして、穀稈引起し装置４は、引起しラグ１９を側方に向けて突出させながら上方に回動するように始端部を下方に、終端部を上方に位置させて傾斜させ、穀稈条列に沿わせて複数器を配置して構成している。この場合、複数器の穀稈引起し装置４は、その上部を刈取機枠１６から上方に延長した引起し支持フレ−ム２０の上部にある伝動ケ−ス２１から垂下した伝動支持パイプ２２に伝動可能に連結・支持させて設け、その下部も、刈取機枠１６に連結して構成している。なお、変速装置２３は、図７及び図１２に示すように、引起し支持フレ−ム２０の上部と伝動ケ−ス２１との間に設け、引起しラグ１９の引起し速度を変速する構成としている。
【００１３】
つぎに、穀稈搬送装置６は、図６に示すように、上記した穀稈引起し装置４の背後で低位置に設けている刈取装置５の上方近傍位置から脱穀装置３のフィ−ドチエン１２の始端部の間に設けられているが、始端部側には掻込装置６ａが、その後方には株元搬送チエン６ｂと穂先搬送ラグ６ｃとが、その後方位置には扱ぎ深さ調節チエン６ｄと供給装置６ｅの順に設けられ、穀稈を順次受け継ぎながら搬送してフィ−ドチエン１２に渡して脱穀装置３に供給する構成としている。
【００１４】
そして、刈取サイドカバ−７は、図６の仮想線で示すように、上記した刈取前処理装置１３の側部を覆うカバ−であって、安全機能と防塵機能と美観を向上するために設けているが、前縁を機体の側部に位置する穀稈引起し装置４の前側（側面視）に沿わせ、底縁を下側の刈取機枠１６の下縁に沿わせ、後縁を引起し支持フレ−ム２０の後方位置まで延長し、上縁を前記変速装置２３の側部上方を側面から覆う範囲に設けて構成している。
【００１５】
つぎに、防塵カバ−（防塵用のカバ−）８は、前記穀稈引起し装置４の上方位置から脱穀装置３の穀稈供給口２に至る間において、上側から前述の穀稈搬送装置６を覆うために、前部カバ−（防塵用のカバ−）８ａと後部カバ−８ｂとの２つに分割して構成している。
【００１６】
そこで、防塵カバ−８を支持する関連部材を、予め説明すると、まず、前後連結フレ−ム２５は、前端部を伝動ケ−ス２１（穀稈引起し装置４の上方位置）に連結固着して、図２及び図６に示すように、後方に延長して後端部を前記刈取主フレ−ム１５の基部に連結して刈取機枠１６を強固に補強する構成としている。そして、左支持杆２６は、前部を前記引起し支持フレ−ム２０の中間部に連結して後方上方に延長して後部に前記供給装置６ｅの挾持杆２７を取り付けて構成している。そして、横連結杆２８は、穀稈搬送装置６の中間部上方において∩型にして、右端部を前記前後連結フレ−ム２５に固着連結し、左端部を上記左支持杆２６の中端部に固着連結して全体として刈取機枠１６を補強する構成としている。なお、本明細書における左右は、走行車体１の前進方向に向かって見た状態を基準とする。
【００１７】
つぎに、前部カバ−８ａは、図７に示すように、その前縁を穀稈引起し装置４の上方において横向きに配置されている前記伝動ケ−ス２１の上にある引起しカバ−２４の上側に重ね合わせて連結固着し、その前縁部分で、左側を変速装置２３を覆う位置まで横方向に延長し、右側を上記した前後連結フレ−ム２５を覆う位置まで右の方に延長して設け、更に、穀稈搬送装置６の上方に沿わせて後方へ延長して配置している。そして、前部カバ−８ａは、その後部を前述の横連結杆２８に連結支持している。
【００１８】
つぎに、後部カバ−８ｂは、前端を前部カバ−８ａの後部上方に重ねて位置させ、後端を脱穀装置３の穀稈供給口２の上方まで延長して設け、上面と横側に垂れ下がった側壁９から形成して穀稈搬送装置６を上方から覆う構成としている。そして、後部カバ−８ｂは、左右の内側に前後方向に沿わせて固着している案内レ−ル３０、３０’を、前記横連結杆２８から左右両方の外側へ対称状に突出させて軸架しているロ−ラ３１、３１’に嵌合して支持して設け、更に、後部には回動腕３２を取り付けて前後摺動自由に支持して構成している。
【００１９】
そして、案内レ−ル３０、３０’は、側面視において図９に示すように、前部と後部とを高くして中間部から後部寄りの位置を若干下げた形状に形成すると、後部カバ−８ｂを、前部カバ−８ａの上面に沿わせて摺動することができる。
【００２０】
そして、回動腕３２は、基部を支持台１４上の前記前後連結フレ−ム２５の連結部分と一体的に枢着して上方に延長した基部部材３２ａと、その基部部材３２ａの上部に形成した連結部３２ｂを介して着脱自由に連結した上側の支持部材３２ｃとの２部材で構成し、後部カバ−８ｂを前後に摺動自由に支持している。そして、回動腕３２は、後方で待機するとき（後部カバ−８ｂが閉まった位置）の位置と、前方側に回動したとき（後部カバ−８ｂを前側に移動して開放した位置）の位置とのいずれにおいても、連結部３２ｂが穀稈供給口２と前記穂先搬送ラグ６ｃを収納している穂先搬送ケ−ス３３の高さ位置よりも高い位置にある構成としている。
【００２１】
したがって、後部カバ−８ｂは、空間部分に位置することになり、比較的簡単に着脱することが可能になるものである。
【００２２】
そして、後部カバ−８ｂは、横連結杆２８に設けている前部クランプ３４と脱穀装置３側に設けている後部クランプ３４’とに、前記回動腕３２の上部に設けている前係止具３５と後係止具３５’とを係脱自由に係止して開放位置と閉鎖位置とをロックできる構成としている。
【００２３】
そして、後部カバ−８ｂは、図１及び図２に示すように、その後端縁と脱穀装置３の前端縁との間隙に沿わせて適宜幅のスペ−サ３６を用意して着脱自由に取り付けることによって、汎用性を高めることができる。例えば、防塵カバ−８は、３条型用のものを製作しておいて、それより大型のコンバイン（４、５条型）に組み付けるとき、間隙をスペ−サ３６でふさぐことにより可能にし、全体として大幅なコストダウンを図ることができる。
【００２４】
そして、防塵カバ−８は、図１０に示すノンキャビンタイプのコンバイン用と図１１に示すキャビンタイプのコンバイン用との２種類を構成している。すなわち、一方（図１０）の防塵カバ−８は、中央位置に隆起部４０を形成して、その隆起部４０の前部に前照灯４１を取り付けて前方を照明できる構成として、図３及び図４に示すように、キャビンを有しないコンバイン専用としている。他方（図１１）のキャビンタイプの防塵カバ−８は、隆起部４０に相当する隆起形状を無くして平面部４２にして前照灯４１を設けない構成にして、図５に示すように、キャビン４３を有するコンバイン専用にしている。この場合は、防塵カバ−８は、キャビン４３の前面上部に前照灯４４が装着されているから、前照灯４１は不要となる。
【００２５】
そして、隆起部４０は、図１０に示すように、前進方向の左側に片寄せて設け右側にフラット面４５を形成して、操縦席４６からの前方視界を確保する構成としている。なお、フラット面４５は、透明素材を使用すると、これを透視して穀稈の搬送状態や前方低部を確認することができて便利である。
【００２６】
つぎに、移動通路１０は、図１に示すように、前記前部カバ−８ａの前後方向に沿う側縁イと前記刈取サイドカバ−７の内側縁ロとの間に間隔を設けて構成して、前記後部カバ−８ｂの側壁９が自由に通過できるように形成されている。したがって、後部カバ−８ｂは、後部の回動腕３２に支持され、更に、案内レ−ル３０、３０’がロ−ラ３１、３１’に支持されて案内されながら、前部カバ−８ｂの上側に沿って前方に重なりながら摺動できる。なお、４７は把手を示す。
【００２７】
そして、前述した変速装置２３は、図１２に示すように、中間部をケ−ス４８の表面に枢着した作動レバ−４９の上部に操作ロット５０を枢着して連結し、下部に図示しないシフタ−を連結している。そして、操作ロット５０は、引起しカバ−２４の上方に沿わせ、前部カバ−８ａの内部を通して右方向に延長し、前後連結フレ−ム２５に設けた支持具５１に操作自由に支持している。そして、握り部５２は、上記した操作ロット５０の支持位置から若干外側部を上方に折り曲げて取り付け、操縦席４６から手を伸ばして握り、穀稈引起し装置４の引起しラグ１９の引起し速度を変速操作できる構成としている。
【００２８】
つぎにその作用について説明する。
【００２９】
まず、防塵カバ−８は、後部カバ−８ｂを、図１及び図２の実線で示す位置に閉じた状態にして、後係止具３５’を後部クランプ３４’に係合してロックし、穀稈搬送装置６を覆って防塵機能が発揮できるように準備する。そして、エンジンを始動して機体の回転各部に伝動しながら走行車体１を前進させて作業を開始する。
【００３０】
すると、圃場の穀稈は、前部の分草杆１７によって下部から分草作用を受けた後、上方に引起し回動を続けている引起しラグ１９の作用を受けて、倒伏状態から順次直立状態に引き起こされ、株元部分が掻込装置６ａに達して刈取装置５側に掻き込まれる。そして、穀稈は、刈取装置５によって刈り取られ、株元が株元搬送チエン６ｂに挾持され、穂先側が穂先搬送ラグ６ｃに係合されて順次上方に搬送される。そして、穀稈は、扱ぎ深さ調節チエン６ｄから供給装置６ｅに受け継がれてフィ−ドチエン１２の始端部に受け継がれて脱穀装置３の穀稈供給口２に供給される。このようにして、脱穀装置に供給された穀稈は、株元がフィ−ドチエン１２に挾持されて搬送されながら穂先部が脱穀装置３に挿入されて脱穀作用を受け、選別された穀粒がグレンタンクに搬送されて貯溜される。
【００３１】
このような一連の刈取脱穀作業中において、防塵カバ−８は、穀稈引起し装置４の上部位置から、掻込装置６ａ、その後方の株元搬送チエン６ｂと穂先搬送ラグ６ｃ、更に、その後方位置の扱ぎ深さ調節チエン６ｄと供給装置６ｅを覆っているから、穀稈の搬送作用にともなって発生した塵埃を直接外部に飛散するのを防止してできるだけ外気を塵埃で汚さないように防塵しながら作業を行うことが出来る。
【００３２】
そして、防塵カバ−８は、図１０に示すように、隆起部４０を進行方向の左側に片寄せてその右側にフラット面４５を形成しているから、操縦席４６からの前方視界が充分に確保でき、分草状態や引起し状態を監視しながら作業を行うことができる利点がある。なお、透明素材を使用してフラット面４５に構成すれば、透視できるから穀稈の搬送状態や前方低部を確認できてより便利である。
【００３３】
更に、本発明の実施例は、図１及び図２に示すように、後部カバ−８ｂの後端縁と脱穀装置３の前端縁との間に、隙間ができたとき（例えば、３条型用のものを製作しておいて、それを４、５条型に転用して組み付ける等）、適宜幅のスペ−サ３６を用意してつぶす方策を講じているから、防塵カバ−８の汎用性を高め、大幅なコストダウンを図ることができた。そして、防塵カバ−８は、支持する各部材を、別に構成しないで刈取機枠１６を構成している前後連結フレ−ム２５や横連結杆２８を利用しているから、安価に製作できると共に、強固で安定良く支持され、円滑にスライドできる。
【００３４】
そして、後部カバ−８ｂは、実施例のように、回動腕３２の連結部３２ｂを穀稈供給口２と前記穂先搬送ラグ６ｃを収納している穂先搬送ケ−ス３３の高さよりも高い空間部のある位置に構成しているから、いずれの位置にあっても、比較的簡単に着脱操作ができる特徴がある。そして、後部カバ−８ｂは、前後係止具３５、３５’を有する回動腕３２と、前後連結フレ−ム２５及びと前部、後部クランプ３４、３４’を有する横連結杆２８との関係位置が、刈取前処理装置１３を上下昇降させても変化しないから、不用意にロックが離脱することがほとんどなく、常に、安全にロック状態を保持できる特徴も併せて有する。
【００３５】
そして、穀稈引起し装置４は、実施例に示すように、操縦席４６から手を伸ばして比較的簡単に握り部５２を操作して、操作ロット５０、作動レバ−４９から図示しないシフタ−を介して変速装置２３を、穀稈の倒伏度合いに応じて変速操作して効果的な作業を行うことができると共に、操作ロット５０を、引起しカバ−２４の上方に沿わせ、前部カバ−８ａの内部を通して右方向に延長することにより、下方を通過する穀稈に支障を与えることなく、藁屑等がひっかかることもない実用的効果を有するものとなった。
【００３６】
更に、防塵カバ−８は、実施例の場合、図７に示すように、前部カバ−８ａの前縁を穀稈引起し装置４の上方において、横向きに配置されている伝動ケ−ス２１の上にある引起しカバ−２４の上側に重ね合わせて連結固着し、その前縁部分の左側を変速装置２３を覆う位置まで横方向に延長し、右側を前後連結フレ−ム２５を覆う位置まで右の方に延長して設けているから、意匠上の美観を向上するものでありながら、この位置に配線されるハ−ネスを被覆することができ雨水等から保護できる特徴を有する。
【００３７】
つぎに、防塵カバ−８は、一連の穀稈搬送装置６のメンテナンスを行うときには、後部カバ−８ｂの把手４７を持って、図１及び図２の実線の位置から仮想線で示す前方位置に移動操作する。すると、後部カバ−８ｂは、回動腕３２が下部を支点として前方側に回動し、両側にあるロ−ラ３１、３１’によって左右の案内レ−ル３０、３０’が案内されて回動しながら、脱穀装置３の穀稈供給口２側から順次開放する。そのとき、後部カバ−８ｂは、左側の側壁９が、前部カバ−８ａの前後方向に沿う側縁イと刈取サイドカバ−７の内側縁ロとの間に形成している移動通路１０を前方側に通過して円滑に移動して、前部カバ−８ａの上側に重合する位置に達して穀稈搬送装置６を開放することが出来る。
【００３８】
以上のように操作して防塵カバ−８の後部カバ−８ｂを開放すると、穀稈搬送装置６及びその近傍の清掃やメンテナンスを楽に行うことが出来る。
【図面の簡単な説明】
【００３９】
【図１】本発明の実施例であって、一部破断した平面図である。
【図２】本発明の実施例であって、作用を示す側面図である。
【図３】本発明の実施例であって、正面図である。
【図４】本発明の実施例であって、側面図である。
【図５】本発明の実施例であって、キャビン付きの側面図である。
【図６】本発明の実施例であって、側面図である。
【図７】本発明の実施例であって、破断した正面図である。
【図８】本発明の実施例であって、切断背面図である。
【図９】本発明の実施例であって、側面図である。
【図１０】本発明の実施例であって、斜面図である。
【図１１】本発明の実施例であって、斜面図である。
【図１２】本発明の実施例であって、破断した正面図である。
【図１３】本発明の実施例であって、断面図である。
【符号の説明】
【００４０】
１    走行車体
２    穀稈供給口
３    脱穀装置
４    穀稈引起し装置
５    刈取装置
８    防塵カバ−（防塵用のカバ−）
１２    フィ−ドチェン
１３    刈取前処理装置
１４    支持台
１７    分草杆
４０    隆起部
４１    前照灯
４５ 面（フラット面）